(57)【要約】【課題】本発明は、入力装置を簡単に格納でき、しかも、表示画面が常に剥き出しとなるのを防止できるとともに、外観を良好に維持できる電子機器を得ることにある。【解決手段】電子機器(1)は、機器本体(3)、表示部(4)および入力装置(5)を備えている。表示部は、機器本体の前面(9a)と向かい合う第１の位置と、機器本体の前面から離脱する第２の位置との間で移動可能に機器本体に支持されている。表示部は、第２の位置において機器本体に対する表示画面の向きを反転可能に機器本体に支持されている。表示部を第１の位置に移動させた時に、機器本体の前面と表示部との間に入力装置を取り外し可能に収容する格納部(35)が形成される。【選択図】      図４
2005216172.tif 000002
【特許請求の範囲】
【請求項１】
前面を有する機器本体と、
上記機器本体に支持され、起立した表示画面を有する表示部と、
上記機器本体の前方に配置される入力装置と、を具備し、
上記表示部は、上記機器本体の前面と向かい合う第１の位置と、上記機器本体の前面から離脱する第２の位置との間で移動可能に上記機器本体に支持されているとともに、上記第２の位置において上記機器本体に対する上記表示画面の向きを反転可能に上記機器本体に支持され、
上記表示部を上記第１の位置に移動させた時に、上記機器本体の前面と上記表示部との間に上記入力装置を取り外し可能に収容する格納部が形成されることを特徴とする電子機器。
【請求項２】
請求項１の記載において、上記入力装置は、上記機器本体の前方に張り出して入力操作を可能とする使用位置と、上記格納部に収容される格納位置との間で回動可能に上記機器本体に支持されていることを特徴とする電子機器。
【請求項３】
請求項２の記載において、上記入力装置は、入力操作用の操作子を有する本体部と、この本体部から上記機器本体に向けて突出する連結部とを含み、この連結部が上記機器本体の下端部に回動可能に支持されていることを特徴とする電子機器。
【請求項４】
請求項２又は請求項３の記載において、上記機器本体は、上記入力装置が上記使用位置に回動された時に、上記入力装置を上記使用位置に保持するストッパを有することを特徴とする電子機器。
【請求項５】
請求項１の記載において、上記機器本体は、上記前面を有する筐体と、据え付け面の上に置かれる台座と、上記筐体と上記台座とを結ぶ支柱とを有し、上記筐体は、上記支柱の軸方向に位置調節可能に上記台座に支持されているとともに、上記支柱の周方向に回動可能に上記台座に支持されていることを特徴とする電子機器。
【請求項６】
請求項５の記載において、上記台座は、外部機器を接続するための接続部を有することを特徴とする電子機器。
【請求項７】
請求項１の記載において、上記機器本体は、左右の側面と、この側面に上記機器本体の前後方向に移動可能に支持された一対のアームとを有し、上記アームは上記機器本体の前方に突出する前端部を有するとともに、上記表示部は、上記アームの前端部の間に回動可能に支持されていることを特徴とする電子機器。
【請求項８】
請求項１ないし請求項４のいずれかの記載において、上記機器本体は、垂直なポールに上下方向に位置調節可能に支持されていることを特徴とする電子機器。
【請求項９】
請求項１ないし請求項４のいずれかの記載において、上記機器本体は、ハンガーブラケットを介して天井面から吊り下げられていることを特徴とする電子機器。
【請求項１０】
前面および左右の側面を有する機器本体と、
上記機器本体の前方に配置される入力装置と、
上記機器本体の側面に前後方向に移動可能に支持され、上記機器本体の前方に突出する前端部を有する一対のアームと、
上記アームの前端部間に支持され、起立した表示画面を有する表示部と、を具備し、
上記表示部は、上記機器本体の前面と向かい合う第１の位置と、この第１の位置よりも上記機器本体の前方に遠ざかる第２の位置との間で移動可能に上記アームを介して上記機器本体に支持されているとともに、上記第２の位置において上記機器本体に対する上記表示画面の向きを反転可能に上記アームの前端部に支持され、
上記表示部を上記第１の位置に移動させた時に、上記機器本体の前面と上記表示部との間に上記入力装置を取り外し可能に収容する格納部が形成されることを特徴とする電子機器。
【請求項１１】
請求項１０の記載において、上記入力装置は、上記機器本体の前方に張り出して入力操作を可能とする使用位置と、上記格納部に収容される格納位置との間で回動可能に上記機器本体に支持されていることを特徴とする電子機器。
【請求項１２】
請求項１１又は請求項１２の記載において、上記一対のアームは、夫々上記機器本体の後方に張り出す後端部を有し、上記アームの後端部間はグリップ部を介して互いに連結されていることを特徴とする電子機器。
【請求項１３】
前面を有する機器本体と、
上記機器本体に支持され、起立した表示画面を有する表示部と、
上記機器本体の前方に配置される入力装置と、を具備し、
上記表示部は、上記機器本体の前面と向かい合う第１の位置と、この第１の位置よりも上記機器本体の上方にずれる第２の位置との間で昇降動可能に上記機器本体に支持されているとともに、上記第２の位置において上記機器本体に対する上記表示画面の向きを反転可能に上記機器本体に支持され、
上記表示部を上記第１の位置に移動させた時に、上記機器本体の前面と上記表示部との間に上記入力装置を取り外し可能に収容する格納部が形成されることを特徴とする電子機器。
【請求項１４】
請求項１３の記載において、上記機器本体は、その前面よりも前方に向けて突出する前端部を有する左右一対の支持アームを有し、上記表示部は、左右の側面と、この側面に夫々設けられ、上記支持アームの前端部が摺動可能に嵌まり込むガイド溝とを有し、
上記表示部は、上記支持アームの前端部と上記ガイド溝との嵌合部分をガイドとして上記機器本体に対し昇降動可能であるとともに、上記表示部が上記第２の位置に達した時に、上記支持アームの前端部と上記ガイド溝との嵌合部分を支点として反転可能であることを特徴とする電子機器。
【請求項１５】
請求項１３又は請求項１４のいずれかの記載において、上記入力装置は、上記機器本体の前方に張り出して入力操作を可能とする使用位置と、上記格納部に収容される格納位置との間で回動可能に上記機器本体に支持されていることを特徴とする電子機器。
【発明の詳細な説明】
【技術分野】
【０００１】
本発明は、表示部を有する機器本体と、この機器本体の前方に置かれる入力装置とを備えたデスクトップ形のコンピュータのような電子機器に関する。
【背景技術】
【０００２】
例えば机の天板の上に置いて使用するデスクトップ形のコンピュータは、液晶表示部を一体化したコンピュータ本体と、このコンピュータ本体に情報を入力するキーボードとを備えている。キーボードは、コンピュータ本体の手前に位置しており、ユーザは液晶表示部の表示画面を見ながらキーボードを通じて入力操作を行えるようになっている。
【０００３】
ところで、最近の高機能なコンピュータは、TV番組を見たり、DVDに収録された映像を鑑賞し得るように、DVD-ROMドライブやTVチューナを搭載している。コンピュータでTV番組を見るような場合、キーボードは必ずしも必要ではなく、ユーザは液晶表示部の表示画面だけが見えればよいことになる。このため、コンピュータ本体の手前にキーボードが置かれていると、このキーボードが邪魔な存在となることがあり得る。
【０００４】
このことから、従来、キーボードを使用しない時に、このキーボードを液晶表示部の下に格納したり、あるいはコンピュータ本体と液晶表示部との間に格納し得るようにしたコンピュータが知られている（特許文献１〜特許文献３参照）。
【特許文献１】特開昭２００１−１２５６７１号公報
【特許文献２】特開昭２００１−２２４６９号公報
【特許文献３】特開平９−２４４７６３号公報
【発明の開示】
【発明が解決しようとする課題】
【０００５】
特許文献１〜特許文献３に開示されたコンピュータでは、キーボードをコンピュータ本体の手前に置いて使用する時、あるいはキーボードを格納したいずれの状態においても、液晶表示部の表示画面がユーザと向かい合うようにコンピュータ本体の外方に露出している。
【０００６】
このような従来の構成によると、液晶表示部の表示画面が常に剥き出しとなっている。そのため、表示画面に傷が付いたり、埃が付着することがあり、表示画面が見難くなるといった不具合がある。
【０００７】
それとともに、コンピュータを使用しない時でも液晶表示部の表示画面が見えているので、この表示画面がコンピュータの存在を主張することになる。したがって、例えばコンピュータを部屋のインテリアの一部として取り入れる場合に、コンピュータを部屋の雰囲気にうまく溶け込ませることができなくなり、外観的な面でいま一歩改善の余地が残されている。
【０００８】
本発明は、このような事情にもとづいてなされたもので、入力装置を必要としない時に、この入力装置を簡単に格納でき、しかも、表示画面が常に剥き出しとなるのを防止できるとともに、外観を良好に維持できる電子機器の提供を目的とする。
【課題を解決するための手段】
【０００９】
上記目的を達成するため、本発明の一つの形態に係る電子機器は、  
前面を有する機器本体と、上記機器本体に支持され、起立した表示画面を有する表示部と、上記機器本体の前方に配置される入力装置とを備えている。  
上記表示部は、上記機器本体の前面と向かい合う第１の位置と、上記機器本体の前面から離脱する第２の位置との間で移動可能に上記機器本体に支持されているとともに、上記第２の位置において上記機器本体に対する上記表示画面の向きを反転可能に上記機器本体に支持されており、上記表示部を上記第１の位置に移動させた時に、上記機器本体の前面と上記表示部との間に上記入力装置を取り外し可能に収容する格納部が形成されることを特徴としている。
【発明の効果】
【００１０】
本発明によれば、入力装置を必要としない時に、この入力装置を機器本体と表示部との間の格納部に簡単に格納することができる。しかも、入力装置を格納部に格納した時に表示部の表示画面が外方に露出せずに済むので、表示画面を保護できるとともに、電子機器の外観的な問題も解消できる。
【発明を実施するための最良の形態】
【００１１】
以下本発明の第１の実施の形態を、図１ないし図８にもとづいて説明する。
【００１２】
図１ないし図３は、デスクトップ形のコンピュータのような電子機器１を開示している。電子機器１は、例えば机の天板のような据え付け面２の上に設置されている。この電子機器１は、機器本体３、表示部４および入力装置としてのキーボード５を備えている。
【００１３】
機器本体３は、第１の筐体６と、据え付け面２の上に置かれる台座７と、上記第１の筐体６と台座７との間を連結する支柱８とを有している。第１の筐体６は、前面９ａ、左右の側面９ｂ，９ｃ、底面９ｄおよび背面９ｅを有する偏平な箱状であり、据え付け面２の上で起立している。第１の筐体６は、CPUやメモリが実装されたプリント回路板１０と、DVDマルチドライブ、ハードディスク駆動装置およびTVチューナのようなその他の主要な構成要素（図示せず）を収容している。
【００１４】
第１の筐体６は、その前面９ａに凹部１１を備えている。凹部１１は、第１の筐体６の前方、左右側方および下方に向けて開口している。凹部１１の下端部に一対のキーボード支持部１２ａ，１２ｂが形成されている。キーボード支持部１２ａ，１２ｂは、凹部１１の底から第１の筐体６の前方に向けて突出するとともに、この第１の筐体６の幅方向に互いに離れている。
【００１５】
台座７は、偏平な箱状であり、上記据え付け面２の上に置かれている。台座７の上面の中央部に円筒状のボス部１３が形成されている。ボス部１３は、台座７の上面から上方に突出している。支柱８は、中空のパイプ状であり、ボス部１３の内側に摺動可能に差し込まれている。支柱８の上端は、第１の筐体６の底面９ｄの中央部に固定されているとともに、第１の筐体６の内部に開口している。
【００１６】
ボス部１３に調整ねじ１４がねじ込まれている。調整ねじ１４の先端は、ボス部１３を貫通する支柱８の外周面と向かい合っている。このため、調整ねじ１４を締め付けると、その先端が支柱８の外周面に突き当たり、ボス部１３と支柱８との間の相対的な位置が定まるようになっている。
【００１７】
言い換えると、調整ねじ１４による支柱８の締め付けを解除した場合、支柱８がボス部１３の軸方向に自由に移動可能となり、据え付け面２に対する第１の筐体６の高さ位置を無段階的に調整することができる。それとともに、支柱８がボス部１３の周方向に回動可能となり、第１の筐体６が台座７に対して首を振るように第１の筐体６の向きを変化させることができる。
【００１８】
図１に示すように、台座７の後端部に接続部としてのコネクタ１５が配置されている。コネクタ１５は、例えばプリンタのような外部機器１６を電子機器１に接続するためのものである。コネクタ１５は、フレキシブルなケーブル１７を介してプリント回路板１０に電気的に接続されている。ケーブル１７は、台座７の内部から支柱８に導かれるとともに、この支柱８の内側を通して第１の筐体６の内部に導かれている。
【００１９】
このため、第１の筐体６の向きを変化させた場合でも、外部機器１６とコネクタ１５との位置が一定に保たれる。これにより、外部機器１６とコネクタ１５とを接続するコード類の絡みを防止できるとともに、このコード類が無理に引張られることもない。
【００２０】
図１および図２に示すように、表示部４は、第２の筐体２０と液晶表示パネル２１とを備えている。第２の筐体２０は、前面２２ａ、左右の側面２２ｂ，２２ｃ、上面２２ｄ、下面２２ｅおよび背面２２ｆを有する偏平な箱状であり、据え付け面２の上で起立している。液晶表示パネル２１は、第２の筐体２０の内部に収容されており、画像を表示する四角い表示画面２３を有している。表示画面２３は、第２の筐体２０の前面２２ａに沿うように起立しているとともに、この前面２２ａに開けた開口部２４を通じて第２の筐体２０の外方に露出している。
【００２１】
表示部４は、フレーム２６を介して機器本体３の第１の筐体６に支持されている。フレーム２６は、左右一対のアーム２７ａ，２７ｂとグリップ部２８とを備えている。アーム２７ａ，２７ｂは、第１の筐体６を間に挟んで左右に振り分けて配置されている。アーム２７ａ，２７ｂは、互いに同一の形状を有するので、図１に示す右側のアーム２７ｂを代表して説明する。
【００２２】
アーム２７ｂは、前半部３０と後半部３１とを有している。前半部３０は、第１の筐体６の右側の側面９ｃから第１の筐体６の前方に向けて水平に延びている。この前半部３０前端部３０ａは、第１の筐体６の前面９ａよりも第１の筐体６の前方に張り出している。
【００２３】
後半部３１は、第１の筐体６の右側の側面９ｃから第１の筐体６の後方に向けて真っ直ぐに延びるとともに、第１の筐体６の後方に進むに従い上向きに傾斜している。後半部３１の後端部３１ａは、第１の筐体６の背面９ｅよりも第１の筐体６の後方に張り出している。後半部３１は、ガイド溝３２を有している。ガイド溝３２は、後半部３１の長手方向に沿って真っ直ぐに延びている。
【００２４】
第１の筐体６の側面９ｃに軸部３３が形成されている。軸部３３は、ガイド溝３２に摺動可能に嵌まり込んでおり、この嵌合によりフレーム２６が第１の筐体６に支持されている。さらに、フレーム２６は、図示しないロック機構を介してアーム２７ｃの前半部３０が水平となる姿勢およびアーム２７ｃの後半部３１が水平となる姿勢にロックされるようになっている。
【００２５】
ロック機構によるフレーム２６のロックを解除すると、フレーム２６がガイド溝３２の長さの範囲内において第１の筐体６の前後方向（奥行き方向）に移動可能となるとともに、軸部３３を中心に回動可能な状態となる。
【００２６】
グリップ部２８は、アーム２７ａ，２７ｂの後端部３１ａの間に跨っており、第１の筐体６の幅方向に沿って水平に延びている。グリップ部２８は、電子機器１を持ち運ぶ時に手で把持する箇所であり、第１の筐体６の背後に位置している。
【００２７】
表示部４は、アーム２７ａ，２７ｂの前端部３０ａの間に介在されている。アーム２７ａ，２７ｂの前端部３０ａは、第２の筐体２０の左右の側面２２ｂ，２２ｃに夫々水平な枢軸３４を介して回動可能に支持されている。
【００２８】
このことから、フレーム２６は、表示部４を第１の位置と第２の位置との間で移動可能に第１の筐体６に支持している。図１に示す第１の位置では、表示部４は、その第２の筐体２０が第１の筐体６の前面９ａに沿うとともに、この前面９ａの凹部１１を前方から覆うように起立している。この時、アーム２７ａ，２７ｂの前半部３０が水平となるとともに、アーム２７ａ，２７ｂの後半部３１が上向きに姿勢に傾斜し、グリップ部２８が機器本体３の上端付近に位置している。さらに、表示部４が第１の位置に移動すると、この表示部４と凹部１１との間にキーボード５を収容するための格納部３５が形成されるようになっている。
【００２９】
一方、図７に示す第２の位置では、表示部４は、第１の位置よりも第１の筐体６の前方に遠ざかった位置で起立している。この時、アーム２７ａ，２７ｂの後半部３１が水平となるとともに、グリップ部２８が第１の筐体６の背面９ｅに隣接している。表示部４が第２の位置に移動した状態では、この表示部４と第１の筐体６の前面９ａとの間に表示部４の回動を許容するような空間３６が形成される。この空間３６は、第１の筐体６の前面９ａの凹部１１に連なっている。
【００３０】
図８に示すように、表示部４は、上記第２の位置において枢軸３４を中心に第１の反転姿勢と第２の反転姿勢との間で１８０°反転可能となっている。第１の反転姿勢では、液晶表示パネル２１の表示画面２３が第１の筐体６の前方を向くとともに、第２の筐体２０の背面２２ｆが第１の筐体６の前面９ａや凹部１１と向かい合っている。第２の反転位置では、液晶表示パネル２１の表示画面２３が第１の筐体６の後方を向くとともに、第２の筐体２０の背面２２ｆが第１の筐体６の前方に露出している。
【００３１】
図２および図３に示すように、上記キーボード５は、長方形状の本体部３８と、この本体部３８の後縁の中央部から第１の筐体６に向けて延出する連結部３９とを有している。本体部３８は、第１の筐体６の凹部１１よりも一回り小さな形状を有している。この本体部３８の上面には、入力操作用の操作子としての複数のキートップ４０が配置されている。連結部３９の先端は、第１の筐体６のキーボード支持部１２ａ，１２ｂの間に導かれるとともに、これらキーボード支持部１２ａ，１２ｂに水平なピボット軸４１を介して回動可能に支持されている。
【００３２】
このため、キーボード５は、使用位置と格納位置との間で回動可能となっている。図１ないし図３に示す使用位置では、キーボード５はキートップ４０を露出させるように機器本体２の前方に向けて張り出しており、入力操作が可能となっている。図４や図６に示す格納位置では、キーボード５は第１の筐体６の凹部１１に入り込むように起立している。そして、表示部４が第１の位置に移動された状態では、キーボード５は凹部１１と表示部４との間に形成される格納部３５に収容されるようになっている。
【００３３】
したがって、キーボード５を用いて入力操作を実行する使用形態では、図１に示すように表示部４が第１の位置で第１の反転姿勢に保持されるとともに、キーボード５が使用位置に保持されるようになっている。
【００３４】
このような構成の電子機器１において、キーボード５を使用しない時に、このキーボード５を使用位置から格納位置に収容する手順について説明する。
【００３５】
まず、ロック機構によるフレーム２６のロックを解除する。次に、図４に示すように、ガイド溝３２と軸部３３との嵌合部分をガイドとしてフレーム２６を下方にずらすとともに、このフレーム２６を機器本体３の前方に向けて引き出す。これにより、図７に示すように表示部４が第１の位置から第２の位置に移動する。この結果、表示部４と第１の筐体６との間に表示部４の回動を許容する空間３６が形成されるとともに、第１の筐体６の前面９ａに位置する凹部１１が空間３６に露出する。
【００３６】
次に、図８に矢印Ｘで示すように、使用位置にあるキーボード５をピボット軸４１を支点に上向きに回動させ、第１の筐体６の前面９ａの凹部１１に収める。次いで、図８に矢印Ｙで示すように、第１の反転姿勢にある表示部４を枢軸３４を支点に時計回り方向に１８０°反転させる。この反転により、表示部４が第２の反転姿勢に回動し、その表示画面２３が第１の筐体６の前面９ａおよび凹部１１に収容されたキーボード５と向かい合う。
【００３７】
この後、表示部４を第１の筐体６に向けて押圧する。この押圧により、ガイド溝３２と軸部３３との嵌合部分をガイドとしてフレーム２５が第１の筐体６の後方に向けて押し込まれる。この結果、図４に示すように、表示部４が第２の位置から第１の位置に移動し、表示部４の第２の筐体２０と第１の筐体６の凹部１１との間に格納部３５が形成される。したがって、キーボード５が格納部３５に格納されるとともに、表示部４の第２の筐体２０によって前方から覆い隠される。
【００３８】
このような本発明の第１の実施の形態によれば、例えば電子機器１を利用してTV番組を見る時のようにキーボード５を必要としない使用形態では、キーボード５を表示部４と機器本体３の第１の筐体６との間に簡単に収容することができる。このため、表示部４の手前からキーボード５を排除することができ、このキーボード５が邪魔となったり、目立つ存在となることはない。
【００３９】
さらに、上記構成によると、表示部４は、第２の位置において表示画面２３が第１の筐体６の前方を向く第１の反転姿勢と、表示画面２３が第１の筐体６の後方を向く第２の反転姿勢との間で反転可能となっている。このため、キーボード５を表示部４と第１の筐体６との間に格納する時に、表示部４を第２の反転姿勢に反転させることで、表示部４の表示画面２３をキーボード５の方向に向けることができる。
【００４０】
したがって、キーボード５を格納部３５に格納した時に、表示画面２３が電子機器１の外方に露出せずに済み、表示画面２３を保護することができる。
【００４１】
それとともに、キーボード５を格納部３５に格納した時は、第２の筐体２０の背面２２ｆが露出する。そのため、背面２２ｆを例えばインテリアに調和するような色に設定することで、電子機器１を部屋の雰囲気にうまく溶け込ませることができる。よって、キーボード５を使用しない時に電子機器１の存在が強調されずに済み、電子機器１の外観を良好に維持することができる。
【００４２】
図９ないし図１２は、本発明の第２の実施の形態を開示している。この第２の実施の形態は、表示部４を第１の筐体６に保持するための構成が上記第１の実施の形態と相違している。これ以外の電子機器１の構成は、第１の実施の形態と同様である。そのため、第２の実施の形態において第１の実施の形態と同一の構成部分には同一の参照符号を付して、その説明を省略する。
【００４３】
図９ないし図１２に示すように、第１の筐体６の左右の側面９ｂ，９ｃに夫々アーム５０ａ，５０ｂが取り付けられている。アーム５０ａ，５０ｂは、直線状をなすとともに第１の筐体６の前後方向（奥行き方向）に沿って水平に配置されている。各アーム５０ａ，５０ｂは、ガイド溝５１を有している。ガイド溝５１は、アーム５０ａ，５０ｂの長手方向に沿って真っ直ぐに延びている。
【００４４】
第１の筐体６の側面９ｂ，９ｃにガイド凸部５２が形成されている。ガイド凸部５２は、ガイド溝５１に摺動可能に嵌まり込んでおり、この嵌合によりアーム５０ａ，５０ｂが第１の筐体６に対し前後方向に移動可能に保持されている。
【００４５】
アーム５０ａ，５０ｂは、夫々前端部５３を有している。前端部５３は、第１の筐体６の前面９ａよりも第１の筐体６の前方に張り出している。表示部４は、アーム５０ａ，５０ｂの前端部５３の間に介在されている。アーム５０ａ，５０ｂの前端部５３は、第２の筐体２０の左右の側面２２ｂ，２２ｃに夫々水平な枢軸３４を介して回動可能に支持されている。
【００４６】
このことから、アーム５０ａ，５０ｂは、表示部４を第１の位置と第２の位置との間で移動可能に第１の筐体６に支持している。図９に示す第１の位置では、表示部４は、その第２の筐体２０が第１の筐体６の前面９ａに沿うとともに、この前面９ａの凹部１１を前方から覆うように起立している。表示部４が第１の位置に移動すると、この表示部４と凹部１１との間にキーボード５を収容する格納部３５が形成されるようになっている。
【００４７】
一方、図１０に示す第２の位置では、表示部４は、第１の位置よりも第１の筐体６の前方に遠ざかった位置で起立している。表示部４が第２の位置に移動した状態では、この表示部４と第１の筐体６の前面９ａとの間に表示部４やキーボード５の回動を許容するような空間３６が形成される。この空間３６は、第１の筐体６の前面９ａの凹部１１に連なっている。
【００４８】
このような構成において、キーボード５を使用しない時に、このキーボード５を格納する手順について説明する。
【００４９】
まず、図１０に示すように表示部４を第１の筐体６から遠ざかる方向に引き出す。これにより、アーム５０ａ，５０ｂがガイド溝５１とガイド凸部５２との嵌合部分をガイドとしてスライドし、表示部４が第１の位置から第２の位置に移動する。この結果、表示部４と第１の筐体６との間に空間３６が形成されるとともに、第１の筐体６の前面９ａに位置する凹部１１が空間３６に露出する。
【００５０】
次に、図１０に矢印Ｘで示すように、使用位置にあるキーボード５をピボット軸４１を支点に上向きに回動させ、第１の筐体６の前面９ａの凹部１１に収める。次いで、図１０に矢印Ｙで示すように、第１の反転姿勢にある表示部４を枢軸３４を支点に時計回り方向に１８０°反転させる。この反転により、表示部４が第２の反転姿勢に回動し、その表示画面２３が第１の筐体６の前面９ａおよび凹部１１に収容されたキーボード５と向かい合う。
【００５１】
この後、表示部４を第１の筐体６に向けて押圧する。この押圧により、ガイド溝５１とガイド凸部５２との嵌合部分をガイドとしてアーム５０ａ，５０ｂが第１の筐体６の後方に向けて押し込まれる。この結果、表示部４が第２の位置から第１の位置に移動し、表示部４の第２の筐体２０と第１の筐体６の凹部１１との間に格納部３５が形成される。したがって、キーボード５が表示部４と第１の筐体６との間に格納される。
【００５２】
このような本発明の第２の実施の形態によれば、キーボード５を必要としない使用形態では、キーボード５を表示部４と機器本体３の第１の筐体６との間に簡単に収容することができる。
【００５３】
さらに、キーボード５を表示部４と第１の筐体６との間に格納する時に、表示部４を第２の反転姿勢に反転させることで、表示部４の表示画面２３をキーボード５の方向に向けることができる。このため、表示画面２３が電子機器１の外方に露出せずに済み、上記第１の実施の形態と同様の効果を得ることができる。
【００５４】
図１３ないし図１５は、本発明の第３の実施の形態を開示している。
【００５５】
この第３の実施の形態は、主に床面６０から垂直に起立するポール６１に電子機器１を取り付けた点が上記第１の実施の形態と相違している。これ以外の電子機器１の構成は、第１の実施の形態と同様である。
【００５６】
図１３および図１４に示すように、ポール６１は、円形の断面形状を有している。電子機器１の第１の筐体６は、その背面９ｅの中央部にボス部６２を備えている。ボス部６２は、第１の筐体６の後方に突出するとともに、この第１の筐体６の高さ方向に沿って延びている。ボス部６２は、円形の嵌合孔６３を有している。ポール６１は、嵌合孔６３を軸方向および周方向に摺動可能に貫通している。
【００５７】
ボス部６２の上端部および下端部に夫々調整ねじ６４がねじ込まれている。調整ねじ６４の先端は、ボス部６２を貫通するポール６１の外周面と向かい合っている。このため、調整ねじ６４を締め付けると、その先端がポール６１の外周面に突き当たり、ボス部６２とポール６１との間の相対的な位置が定まるようになっている。
【００５８】
言い換えると、調整ねじ６４によるポール６１の締め付けを解除した場合、第１の筐体６がポール６１の軸方向に自由に移動可能となり、床面６１に対する電子機器１の高さ位置を無段階的に調整することができる。それとともに、第１の筐体６がポール６１の周方向に回動可能となり、電子機器１の向きをポール６１の周方向に調整することができる。
【００５９】
図１３および図１４に示すように、第１の筐体６の底面９ｄにストッパ６５が形成されている。ストッパ６５は、キーボード５の連結部３９の下方に位置している。このストッパ６５は、キーボード５を使用位置に回動させた時に連結部３９の下面に接触し、キーボード５を使用位置に保持するようになっている。
【００６０】
図１６ないし図１８は、本発明の第４の実施の形態を開示している。
【００６１】
この第４の実施の形態は、主に天井面７０から電子機器１を吊り下げるようにした点が上記第３の実施の形態と相違している。
【００６２】
図１６ないし図１８に示すように、天井面７０にハンガーブラケット７１が固定されている。ハンガーブラケット７１は、天井面７０から下向きに突出する一対のアーム部７２ａ，７２ｂと、これらアーム部７２ａ，７２ｂの下端間に跨る水平なクロスバー７３とを備えている。クロスバー７３は、第１の筐体６の上部を第１の筐体６の幅方向に沿って貫通している。第１の筐体６は、図示しない複数のねじを介してクロスバー７３に固定されている。  
このことから、本実施形態の電子機器１は、ハンガーブラケット７１からぶら下がっている。
【００６３】
図１９ないし図２２は、本発明の第５の実施の形態を開示している。
【００６４】
この第５の実施の形態は、主に表示部４が第１の位置と第２の位置との間で昇降動する点が上記第１の実施の形態と相違している。これ以外の電子機器１の構成は、基本的に第１の実施の形態と同様である。このため、第５の実施の形態において、第１の実施の形態と同一の構成部分には同一の参照符号を付して、その説明を省略する。
【００６５】
図１９および図２２に示すように、表示部４の第２の筐体２０は、その左右の側面２２ｂ，２２ｃに夫々スライドガイド８１ａ，８１ｂを備えている。各スライドガイド８１ａ，８１ｂは、ガイド溝８２を有している。ガイド溝８２は、第２の筐体２０の高さ方向に沿って一直線状に延びている。
【００６６】
第１の筐体６の側面９ｂ，９ｃの上端部に夫々支持アーム８３ａ，８３ｂが固定されている。支持アーム８３ａ，８３ｂは、前端部８４を有している。前端部８４は、第１の筐体６の前面９ａよりも第１の筐体６の前方に突出している。この前端部８４の内面にガイドピン８５が形成されている。
【００６７】
表示部４の第２の筐体２０は、支持アーム８３ａ，８３ｂの前端部８４の間に介在されている。支持アーム８３ａ，８３ｂの前端部８４は、ガイド溝８２に摺動可能に嵌まり込んでいる。
【００６８】
このことから、支持アーム８３ａ，８３ｂは、表示部４を第１の位置と第２の位置との間で昇降動可能に第１の筐体６に支持している。図１９に示す第１の位置では、表示部４は、その第２の筐体２０が第１の筐体６の前面９ａと向かい合うように起立している。表示部４が第１の位置に移動すると、この表示部４と第１の筐体６の前面９ａとの間にキーボード５を収容する格納部８６が形成されるようになっている。
【００６９】
図２０に示す第２の位置では、表示部４は、第１の位置よりも第１の筐体６の上方に遠ざかった位置で起立している。表示部４が第２の位置に上昇した状態では、表示部４が第１の筐体６の前面９ａから外れており、この第１の筐体６の前面９ａが露出した状態に保たれている。
【００７０】
図１９に示すように、ガイド溝８２の一端部に軸受８８が設置されている。軸受８８は、支持アーム８３ａ，８３ｂの前端部８４がガイド溝８２の一端部に達した時に、ガイドピン８５に取り外し可能に係合するようになっている。このことから、表示部４は、軸受８８とガイドピン８５との係合部分を支点として第１の反転姿勢と第２の反転姿勢との間で１８０°反転可能となっている。
【００７１】
第１の反転姿勢では、液晶表示パネル２１の表示画面２３が第１の筐体６の前方を向くとともに、第２の筐体２０の背面２２ｆが第１の筐体６の前面９ａと向かい合っている。第２の反転姿勢では、液晶表示パネル２１の表示画面２３が第１の筐体６の後方を向くとともに、第２の筐体２０の背面２２ｆが第１の筐体６の前方に露出している。
【００７２】
このような構成において、キーボード５を使用しない時に、このキーボード５を格納する手順について説明する。
【００７３】
まず、図２０に示すように表示部４を据え付け面２から遠ざかる方向に押し上げる。これにより、表示部４の第２の筐体２０が支持アーム８３ａ，８３ｂの前端部８４とガイド溝８２との嵌合部分をガイドとしてスライドし、表示部４が第１の位置から第２の位置に上昇する。この結果、表示部４が第１の筐体６の前面９ａから離脱し、この第１の筐体６の前面９ａが露出する。
【００７４】
表示部４が第２の位置に達すると、ガイド溝８２の一端部に位置する軸受８８が支持アーム８３ａ，８３ｂのガイドピン８５に係合する。この係合により、表示部４がガイドピン８５の周方向に回動可能な状態となる。
【００７５】
次に、図２０に矢印Ｘで示すように、使用位置にあるキーボード５をピボット軸４１を支点に上向きに回動させ、第１の筐体６の前面９ａに沿うように起立させる。次いで、図２０に矢印Ｙで示すように、第２の位置において第１の反転姿勢を保っている表示部４を軸受８８とガイドピン８５との係合部分を支点に反時計回り方向に１８０°反転させる。この反転により、表示部４が第１の位置に戻るとともに第２の反転位置に回動し、表示部４の第２の筐体２０と第１の筐体６の前面９ａとの間に格納部８６が形成される。したがって、キーボード５が表示部４と第１の筐体６との間に格納される。
【００７６】
このような本発明の第５の実施の形態によれば、キーボード５を必要としない使用形態では、キーボード５を表示部４と機器本体３の第１の筐体６との間に簡単に収容することができる。
【００７７】
さらに、キーボード５を表示部４と第１の筐体６との間に格納する時に、表示部４を反転させることで、表示部４の表示画面２３をキーボード５の方向に向けることができる。このため、表示画面２３が電子機器１の外方に露出せずに済み、上記第１の実施の形態と同様の効果を得ることができる。
【００７８】
なお、上記実施の形態では、キーボードを筐体の下端部に回動可能に連結したが、本発明はこれに制約されない。例えばキーボードを筐体に対し取り外し可能に連結し、これら両者間を無線LANを用いて接続してもよい。
【図面の簡単な説明】
【００７９】
【図１】本発明の第１の実施の形態において、表示部を第１の反転姿勢に回動させるとともに、キーボードを使用位置に引き出した状態を示すデスクトップ形コンピュータの側面図。
【図２】図１の矢印Ａ方向から見たデスクトップ形コンピュータの正面図。
【図３】図１の矢印Ｂ方向から見たデスクトップ形コンピュータの平面図。
【図４】本発明の第１の実施の形態において、キーボードを機器本体と表示部との間に格納した状態を示すデスクトップ形コンピュータの側面図。
【図５】図４の矢印Ｃ方向から見たデスクトップ形コンピュータの正面図。
【図６】本発明の第１の実施の形態において、表示部を第１の位置から第２の位置に向けてずらす過程を示すデスクトップ形コンピュータの側面図。
【図７】本発明の第１の実施の形態において、表示部を第２の位置に移動させた状態を示すデスクトップ形コンピュータの側面図。
【図８】本発明の第１の実施の形態において、第２の位置にある表示部を第１の反転姿勢から第２の反転姿勢に反転させるとともに、キーボードを機器本体に向けて回動させる状態を示すデスクトップ形コンピュータの側面図。
【図９】本発明の第２の実施の形態において、表示部を第１の位置に移動させるとともに、キーボードを使用位置に引き出した状態を示すデスクトップ形コンピュータの側面図。
【図１０】本発明の第２の実施の形態において、第２の位置にある表示部を第１の反転姿勢から第２の反転姿勢に反転させるとともに、キーボードを機器本体に向けて回動させる状態を示すデスクトップ形コンピュータの側面図。
【図１１】本発明の第２の実施の形態において、キーボードを機器本体と表示部との間に格納した状態を示すデスクトップ形コンピュータの側面図。
【図１２】図１１の矢印Ｄ方向から見たデスクトップ形コンピュータの正面図。
【図１３】本発明の第３の実施の形態において、キーボードを機器本体と表示部との間に格納した状態を示すデスクトップ形コンピュータの側面図。
【図１４】本発明の第３の実施の形態において、表示部を第１の位置に移動させるとともに、キーボードを使用位置に引き出した状態を示すデスクトップ形コンピュータの側面図。
【図１５】図１４の矢印Ｅ方向から見たデスクトップ形コンピュータの平面図。
【図１６】本発明の第４の実施の形態において、キーボードを機器本体と表示部との間に格納した状態を示すデスクトップ形コンピュータの側面図。
【図１７】本発明の第４の実施の形態において、表示部を第１の位置に移動させるとともに、キーボードを使用位置に引き出した状態を示すデスクトップ形コンピュータの側面図。
【図１８】図１６の矢印Ｆ方向から見たデスクトップ形コンピュータの正面図。
【図１９】本発明の第５の実施の形態において、表示部を第１の位置に移動させるとともに、キーボードを使用位置に引き出した状態を示すデスクトップ形コンピュータの側面図。
【図２０】本発明の第５の実施の形態において、第２の位置にある表示部を第１の反転姿勢から第２の反転姿勢に反転させるとともに、キーボードを機器本体に向けて回動させる状態を示すデスクトップ形コンピュータの側面図。
【図２１】本発明の第５の実施の形態において、キーボードを機器本体と表示部との間に格納した状態を示すデスクトップ形コンピュータの側面図。
【図２２】図２１の矢印Ｇ方向から見たデスクトップ形コンピュータの正面図。
【符号の説明】
【００８０】
１…電子機器、３…機器本体、４…表示部、５…入力装置（キーボード）、９ａ…前面、９ｂ，９ｃ…側面、２３…表示画面、２７ａ，２７ｂ，５０ａ，５０ｂ…アーム、３０ａ，５３…前端部、３５，８６…格納部。
【図１】
2005216172.tif 000003
【図２】
2005216172.tif 000004
【図３】
2005216172.tif 000005
【図４】
2005216172.tif 000006
【図５】
2005216172.tif 000007
【図６】
2005216172.tif 000008
【図７】
2005216172.tif 000009
【図８】
2005216172.tif 000010
【図９】
2005216172.tif 000011
【図１０】
2005216172.tif 000012
【図１１】
2005216172.tif 000013
【図１２】
2005216172.tif 000014
【図１３】
2005216172.tif 000015
【図１４】
2005216172.tif 000016
【図１５】
2005216172.tif 000017
【図１６】
2005216172.tif 000018
【図１７】
2005216172.tif 000019
【図１８】
2005216172.tif 000020
【図１９】
2005216172.tif 000021
【図２０】
2005216172.tif 000022
【図２１】
2005216172.tif 000023
【図２２】
2005216172.tif 000024